【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】
上面を開口した浅く長手の箱状であり、周縁に下パッド部材が取付けられたサクション室ケースと、前記下パッド部材に対向する下面周縁に上パッド部材が取付けられ、前記サクション室ケースの開口を開閉可能に閉じてサクション室を形成するサクション室蓋体と、サクション室ケースの底面に設けられたサクション管とからなるサクション室組立と、
前記サクション室組立を収容する凹部と、前記サクション室ケースに先端が挿入された袋の開口部を封口する封口部材と、前記サクション室内を減圧するサクションポンプを備える密封パック器本体と、
前記密封パック器本体に回動自在に軸支され、閉じたときに前記サクション室蓋体を押圧して前記上パッド部材と前記下パッド部材とを密着させてサクション室を気密に閉じる上蓋とからなり、
前記サクション室組立は、密封パック器本体の凹部に対して着脱可能なカートリッジ構造としたことを特徴とする密封パック器。
【請求項２】
サクション室ケースの後端に、ヒンジ部を介して板状のサクション室蓋体が回動可能に接続された請求項１に記載の密封パック器。
【請求項３】
下パッド部材がサクション室ケースの周縁にその開口から上方へ突出するように取付けられ、サクション室蓋体を閉じることにより上パッド部材と下パッド部材とを密着させサクション室を気密に閉じるように構成した請求項１または２に記載の密封パック器。
【請求項４】
サクション室組立を密封パック器本体の凹部に収容したときに、サクション室ケースを常時開く方向に付勢する持ち上げ手段を、密封パック器本体に設けた請求項１から３のいずれか１項に記載の密封パック器。
【請求項５】
サクション室蓋体の下面後端部に、サクション室蓋体を閉じたときにサクション室内に垂下する係止壁を設けた請求項１から４のいずれか１項に記載の密封パック器。
【請求項６】
上蓋の下面に、サクション室蓋体の上面を押圧する押圧体とこの押圧体を付勢するばね部材を設けた請求項１から５のいずれか１項に記載の密封パック器。
【請求項７】
上面を開口した浅く長手の箱状であり、周縁に下パッド部材が取付けられたサクション室ケースと、サクション室ケースの底面に設けられたサクション管とからなるサクション室組立と、
前記サクション室組立を収容する凹部と、前記サクションケースに先端が挿入された袋の開口部を封口する封口部材と、後記サクション室を減圧するサクションポンプを備える密封パック器本体と、
前記下パッド部材に対向する下面に上パッド部材が取付けられ、前記密封パック器本体に回動自在に軸支され、閉じたときに前記上パッド部材と前記下パッド部材とを密着させて前記サクション室ケースの開口を気密に閉じてサクション室を形成する上蓋とからなり、
前記サクション室組立は、サクション室本体の凹部に対して着脱可能なカートリッジ構造としたことを特徴とする密封パック器。
【請求項８】
サクション室ケースのサクション管入力部分に、通気性のあるスポンジ状部材からなるフィルタを配し、このフィルタを通してサクション室内の気体を吸引するように構成した請求項１から７のいずれか１項に記載の密封パック器。
【請求項９】
密封パック器本体の上面に設けられた凹部の開口を上蓋により気密に閉じて形成されるサクション室と、前記凹部内に先端が挿入された袋の開口部を封口する封口部材と、前記サクション室内を減圧するサクションポンプとを備えた密封パック器であって、前記サクション室から排出される気体の経路で、かつ密封パック器本体の下部に消音室を配したことを特徴とする密封パック器。
【手続補正２】
【補正対象書類名】明細書
【補正対象項目名】００１７
【補正方法】変更
【補正の内容】
【００１７】
【発明の実施の形態】
本願の第１発明は、上面を開口した浅く長手の箱状であり、周縁に下パッド部材が取付けられたサクション室ケースと、前記下パッド部材に対向する下面周縁に上パッド部材が取付けられ、前記サクション室ケースの開口を開閉可能に閉じてサクション室を形成するサクション室蓋体と、サクション室ケースの底面に設けられたサクション管とからなるサクション室組立と、前記サクション室組立を収容する凹部と、前記サクション室ケースに先端が挿入された袋の開口部を封口する封口部材と、前記サクション室内を減圧するサクションポンプを備える密封パック器本体と、前記密封パック器本体に回動自在に軸支され、閉じたときに前記サクション室蓋体を押圧して前記上パッド部材と前記下パッド部材とを密着させてサクション室を気密に閉じる上蓋とからなり、前記サクション室組立は、密封パック器本体の凹部に対して着脱可能なカートリッジ構造としたことを特徴とするものである。この発明によれば、サクション室組立は密封パック器本体に対して容易に取付け、取外しができるものとなり、密封作業時にサクション室内に入り込んだ収容物を簡単に除去・清掃することができ、汚れやすいサクション室を常時清浄、清潔にしておけるという作用を有する。
【手続補正３】
【補正対象書類名】明細書
【補正対象項目名】００１８
【補正方法】変更
【補正の内容】
【００１８】
上記発明において、サクション室組立を密封パック器本体の凹部に収容したときに、サクション室ケースを常時開く方向に付勢する持ち上げ手段を、密封パック器本体に設けるように構成すると、密封パック器の上蓋を開いたときサクション室蓋体を開く付勢力を確実なものとし、前記上蓋を開いてから、サクション室ケースに袋の先端の挿入が容易なものとするという作用を有する。
【手続補正４】
【補正対象書類名】明細書
【補正対象項目名】００１９
【補正方法】変更
【補正の内容】
【００１９】
また上記発明において、サクション室蓋体の下面後端部に、サクション室蓋体を閉じたときにサクション室内に垂下する係止壁を設けた構成とすると、サクション室ケースに挿入した袋の先端縁を係止壁に突き当てて、挿入位置のガイドとすることができ、密封作業の効率が向上するという作用を有する。
【手続補正５】
【補正対象書類名】明細書
【補正対象項目名】００２０
【補正方法】変更
【補正の内容】
【００２０】
上記発明において、上蓋の下面に、サクション室蓋体の上面を押圧する押圧体とこの押圧体を付勢するばね部材を設けた構成とすると、上下のパッド部材を適正な圧力で相互に密着させ、サクション室を気密に保つことができ、上下のパッド部材間に袋が挟持されていても気密性が確実であるという作用を有する。
【手続補正６】
【補正対象書類名】明細書
【補正対象項目名】００２１
【補正方法】変更
【補正の内容】
【００２１】
本願の第２発明は、上面を開口した浅く長手の箱状であり、周縁に下パッド部材が取付けられたサクション室ケースと、サクション室ケースの底面に設けられたサクション管とからなるサクション室組立と、前記サクション室組立を収容する凹部と、前記サクションケースに先端が挿入された袋の開口部を封口する封口部材と、後記サクション室を減圧するサクションポンプを備える密封パック器本体と、前記下パッド部材に対向する下面に上パッド部材が取付けられ、前記密封パック器本体に回動自在に軸支され、閉じたときに前記上パッド部材と前記下パッド部材とを密着させて前記サクション室ケースの開口を気密に閉じてサクション室を形成する上蓋とからなり、前記サクション室組立は、サクション室本体の凹部に対して着脱可能なカートリッジ構造としたことを特徴とするものである。この発明によれば、サクション室蓋体を密封パック器の上蓋で兼ねることで、サクション室組立の構成が簡略なものとなり、カートリッジ構造のサクション室組立のコストが低減するという作用を有する。
【手続補正７】
【補正対象書類名】明細書
【補正対象項目名】００２２
【補正方法】変更
【補正の内容】
【００２２】
上記各発明において、サクション室ケースのサクション管入力部分に、通気性のあるスポンジ上部材からなるフィルタを配し、このフィルタを通してサクション室内の気体を吸引するように構成すると、密封作業時に前記フィルタを通じて袋内を脱気することにより、気体のみが濾過されて気体以外の固形物等は確実に除去され、サクションポンプの耐久性が向上し、異物のサクション室内への排出を防止できる作用を有する。
【手続補正８】
【補正対象書類名】明細書
【補正対象項目名】００２３
【補正方法】変更
【補正の内容】
【００２３】
本願の第３発明は、密封パック器本体の上面に設けられた凹部の開口を上蓋により気密に閉じて形成されるサクション室と、前記凹部内に先端が挿入された袋の開口部を封口する封口部材と、前記サクション室内を減圧するサクションポンプとを備えた密封パック器であって、前記サクション室から排出される気体の経路で、かつ密封パック器本体の下部に消音室を配したことを特徴とするものである、より具体的には、密封パック器本体の上面に設けられた凹部の開口を上蓋により気密に閉じて形成されるサクション室と、前記凹部内に先端が挿入された袋の開口部を封口する封口部材と、前記サクション室内を減圧するサクションポンプとを備えた密封パック器であって、前記サクション室から排出される気体の経路に、密封パック器本体の底部にフラットになるように消音室を配し、この消音室の上面には気体等の排出孔および小径の消音孔を設ける一方、消音室の底面には水抜き孔を前記排出孔とはオフセット状態に設けた構成とすると好適なものである。この発明によると、サクションポンプから発生する騒音は直接外部へ放出されることがなく、消音室内で減衰し、快適な使用環境が得られる。また、排出される気体に含まれることがある水分は、消音室の底面に気体の排出孔とはオフセット状態に設けた水抜き孔から外部へ水抜きされるので、内部に滞留することがないという作用を有する。
【手続補正９】
【補正対象書類名】明細書
【補正対象項目名】００６２
【補正方法】変更
【補正の内容】
【００６２】
【発明の効果】
以上説明したように本願の第１発明によれば、密封パック器のサクション室を形成する部材を、密封パック器本体とは別体のカートリッジ構造の蓋付きサクション室組立として構成したので、そのサクション室組立を密封パック器本体に対して簡単便利に取付けと取外しすることで、密封作業時にサクション室内に入り込んだ収容物の除去・清浄が簡単にでき、汚れやすいサクション室を常時清浄、清潔にしておける有利な効果が得られる。
【手続補正１０】
【補正対象書類名】明細書
【補正対象項目名】００６３
【補正方法】変更
【補正の内容】
【００６３】
上記発明において、サクション室組立を密封パック器本体の凹部に収容したときに、サクション室ケースを常時開く方向に付勢する持ち上げ手段を設けるように構成することによって、密封パック器の上蓋を開いたときサクション室蓋体を開く付勢力を確実なものとし、前記上蓋を開いてから、サクション室ケースに袋の先端の挿入が容易に行える有利な効果が得られる。
【手続補正１１】
【補正対象書類名】明細書
【補正対象項目名】００６４
【補正方法】変更
【補正の内容】
【００６４】
また、上記発明において、サクション室ケースに挿入した袋の先端縁を、サクション室内に垂下する係止壁に突き当てて、挿入位置のガイドとすれば、密封作業の効率が向上する有利な効果がある。
【手続補正１２】
【補正対象書類名】明細書
【補正対象項目名】００６５
【補正方法】変更
【補正の内容】
【００６５】
また、上記発明において、上蓋を閉じたときに、上蓋に設けられた押圧体がばね部材で付勢されるようにすれば、サクション室蓋体の上面を適正な圧力で押圧して上下のパッド部材を適正な圧力で相互に密着させ、サクション室を気密に保つことができる有利な効果がある。
【手続補正１３】
【補正対象書類名】明細書
【補正対象項目名】００６６
【補正方法】変更
【補正の内容】
【００６６】
本願の第２発明によれば、サクション室蓋体を、密封パック器の上蓋で兼ねることができる蓋無しのサクション室組立とすることにより、サクション室組立の構成が簡略なものにして、カートリッジ構造のサクション室組立のコストが低減する有利な効果がある。
【手続補正１４】
【補正対象書類名】明細書
【補正対象項目名】００６７
【補正方法】変更
【補正の内容】
【００６７】
また、上記各発明において、サクション室ケースのサクション管入力部分に配された通気性のあるフィルタを通してサクション室内の気体を吸引されるようにすれば、密封作業時に前記フィルタを通して袋内を脱気するので、気体のみを濾過することができ、気体以外の固形物等は確実に除去されてサクションポンプの耐久性が向上し、異物のサクション室内への排出防止などの有利な効果が得られる。
【手続補正１５】
【補正対象書類名】明細書
【補正対象項目名】００６８
【補正方法】変更
【補正の内容】
【００６８】
本願の第３発明によれば、密封パック器の器体の下部に消音室を設けるようにしたので、サクションポンプから発生する騒音は直接外部へ放出されることがなく、消音室内で減衰し、快適な使用環境が得られる。